(57)【要約】【課題】  車両の効果音などをユーザの趣向に合わせて柔軟かつ容易に変更することができるコンテンツデータ内蔵イグニッションキーを提供する。【解決手段】  制御部１０１はユーザの車両への操作をインタフェース部１０２を経由して検知し、一時記憶部１０３から楽音データを読み出して音源部１０４へ出力する。音源部１０４は制御部１０１から楽音データを入力し、楽音データに従って楽曲を発音するための制御情報である制御信号を生成し、インタフェース部１０２を経由して外部のコンテンツデータ再生装置へ出力する。コンテンツデータ再生装置は、入力した制御信号を元に発音する。【選択図】  図１
2005263152.tif 000002
【特許請求の範囲】
【請求項１】
車両用のイグニッションキーであって、
コンテンツデータを記憶する記憶手段と、
前記記憶手段に記憶されているコンテンツデータに従って制御信号を出力するコンテンツ再生手段と、
前記イグニッションキーが車両に差し込まれた状態である時、該車両に前記コンテンツ再生手段から入力した制御信号を送出するインタフェース手段と、
を具備することを特徴とするコンテンツデータ内蔵イグニッションキー。
【請求項２】
前記コンテンツデータは楽音データであり、前記再生手段は楽音データに基づいて制御信号を生成して出力することを特徴とする請求項１に記載のコンテンツデータ内蔵イグニッションキー。
【請求項３】
前記コンテンツ再生手段と、前記記憶手段と、前記インタフェース手段とはグリップ部分に含まれ、
前記グリップ部分と、キー本体部分とが分離可能である
ことを特徴とする請求項１または請求項２に記載のコンテンツデータ内蔵イグニッションキー。
【請求項４】
外部からコンテンツデータを受信して出力する無線通信手段をさらに具備し、
前記無線通信手段から前記コンテンツデータを入力し、前記記憶手段に前記コンテンツデータを書き込む
ことを特徴とする請求項１〜請求項３のいずれかに記載のコンテンツデータ内蔵イグニッションキー。
【請求項５】
前記インタフェース手段は外部の情報端末機器と接続して該機器との間でコンテンツデータの入出力を行う
ことを特徴とする請求項１〜請求項４のいずれかに記載のコンテンツデータ内蔵イグニッションキー。
【請求項６】
前記コンテンツ再生手段から制御信号を入力して再生する再生手段をさらに具備する  ことを特徴とする請求項１〜請求項５のいずれかに記載のコンテンツデータ内蔵イグニッションキー。
【請求項７】
キーホルダーを装着した車両のイグニッションキーであって、
前記キーホルダーは、
コンテンツデータを格納する記憶部と、データを入力して外部へ出力するインタフェース部と、外部から指示を受けて前記記憶部からコンテンツデータを読み出して前記インタフェース部へ出力する制御部とを具備し、
前記イグニッションキーは先端にコンテンツデータを出力する端子を具備し、前記キーホルダーと接続され、前記車両に差し込まれた状態の時、前記インタフェース部から出力されるコンテンツデータを前記端子から車両へ送出する
ことを特徴とするコンテンツデータ内蔵イグニッションキー。
【発明の詳細な説明】
【技術分野】
【０００１】
本発明は、ユーザが車両を操縦する際に聞く効果音等の楽音データを容易に入れ替えることができるコンテンツデータ内蔵イグニッションキーに関する。
【背景技術】
【０００２】
従来の車両、例えば電動バイクには、ユーザが何らかの指示を操作部に入力した時、ユーザの指示を受け付けたことをユーザに伝えるために効果音を出すものがある。このため、図２に示すように、従来の電動バイクは効果音用に楽音データを格納する音源部を内蔵している。しかし、ユーザはいつも同じ効果音だと飽きることがある。また、ユーザが複数いる場合、ユーザによっては電動バイクの効果音にも好き嫌いがある。しかし、従来の技術では電動バイクの効果音に関するユーザごとの細かな対応はできない問題点があった。
【０００３】
また、オートバイに乗りながらユーザが音楽を聴くための従来の技術として、特許文献１に記載されるものが知られている。しかし、特許文献１の技術はユーザが音楽を聴くためのものであり、車両の効果音に関する上述の問題を解決するものではない。
【特許文献１】特開２００２−１４５１５４号公報
【発明の開示】
【発明が解決しようとする課題】
【０００４】
本発明は上記の事情を考慮してなされたもので、その目的は、車両の効果音などをユーザの趣向に合わせて柔軟かつ容易に変更することができるコンテンツデータ内蔵イグニッションキーを提供することである。
【課題を解決するための手段】
【０００５】
この発明は前述の課題を解決するためになされたもので、請求項１の発明は、車両用のイグニッションキーであって、コンテンツデータを記憶する記憶手段と、前記記憶手段に記憶されているコンテンツデータに従って制御信号を出力するコンテンツ再生手段と、前記イグニッションキーが車両に差し込まれた状態である時、該車両に前記コンテンツ再生手段から入力した制御信号を送出するインタフェース手段と、を具備することを特徴とするコンテンツデータ内蔵イグニッションキーである。
【０００６】
請求項２の発明は、請求項１に記載のコンテンツデータ内蔵イグニッションキーであって、前記コンテンツデータは楽音データであり、前記再生手段は楽音データに基づいて制御信号を生成して出力することを特徴とするものである。
【０００７】
請求項３の発明は、請求項１または請求項２に記載のコンテンツデータ内蔵イグニッションキーであって、前記コンテンツ再生手段と、前記記憶手段と、前記インタフェース手段とはグリップ部分に含まれ、前記グリップ部分と、キー本体部分とが分離可能であることを特徴とするものである。
【０００８】
請求項４の発明は、請求項１〜請求項３のいずれかに記載のコンテンツデータ内蔵イグニッションキーであって、外部からコンテンツデータを受信して出力する無線通信手段をさらに具備し、前記無線通信手段から前記コンテンツデータを入力し、前記記憶手段に前記コンテンツデータを書き込むことを特徴とするものである。
【０００９】
請求項５の発明は、請求項１〜請求項４のいずれかに記載のコンテンツデータ内蔵イグニッションキーであって、前記インタフェース手段は外部の情報端末機器と接続して該機器との間でコンテンツデータの入出力を行うことを特徴とするものである。
【００１０】
請求項６の発明は、請求項１〜請求項５のいずれかに記載のコンテンツデータ内蔵イグニッションキーであって、前記コンテンツ再生手段から制御信号を入力して再生する再生手段をさらに具備することを特徴とするものである。
【００１１】
請求項７の発明は、キーホルダーを装着した車両のイグニッションキーであって、前記キーホルダーは、コンテンツデータを格納する記憶部と、データを入力して外部へ出力するインタフェース部と、外部から指示を受けて前記記憶部からコンテンツデータを読み出して前記インタフェース部へ出力する制御部とを具備し、前記イグニッションキーは先端にコンテンツデータを出力する端子を具備し、前記キーホルダーと接続され、前記車両に差し込まれた状態の時、前記インタフェース部から出力されるコンテンツデータを前記端子から車両へ送出することを特徴とするコンテンツデータ内蔵イグニッションキーである。
【発明の効果】
【００１２】
請求項１の発明によれば、イグニションキーにコンテンツデータを格納することにより、ユーザはコンテンツデータを手軽に持ち運び、イグニションキーを替えることにより、車両用の効果音などの元ともなるコンテンツデータを替えることができる効果がある。
【００１３】
また、請求項２の発明によれば、イグニションキーに楽音データを格納することにより、ユーザは楽音データを手軽に持ち運び、イグニションキーを替えることにより、車両用の効果音などに使用する楽音データを替えることができる効果がある。
【００１４】
また、請求項３の発明によれば、ユーザはコンテンツデータの交換を、イグニッションキーのキー本体部分は交換せずにキーのグリップ部分のみの交換によって行うことができる効果がある。
【００１５】
また、請求項４の発明によれば、ユーザはコンテンツデータの交換を、専用の機器などを用意せずに無線機能を備えたパソコンなどを使用して行うことができる効果がある。
【００１６】
また、請求項５の発明によれば、ユーザはイグニションキーのコンテンツデータを、パソコンなどに格納したユーザの嗜好に合ったコンテンツデータに交換することができる効果がある。
【００１７】
また、請求項６の発明によれば、ユーザはイグニッションキーに格納されているコンテンツデータがどのような内容であるのかを手軽に確認できる効果がある。
【００１８】
また、請求項７の発明によれば、ユーザは楽音データの交換を、キーホルダーの交換によって行うことができる効果がある。
【発明を実施するための最良の形態】
【００１９】
図１は本実施の形態におけるコンテンツデータ内蔵イグニッションキー（以下、「キー」と略す）１００の構成を表している。また、図３はキー１００中に格納された楽音データを再生する、電動バイクに搭載された、コンテンツデータ再生装置（以下、「再生装置」と略す）２００の構成を表している。
【００２０】
まず、キー１００は電動バイクのイグニッションキーであり、グリップ部１００ａと、キー本体部１００ｂと、端子部１００ｃとから構成され、グリップ部１００ａ内に以降に説明する回路部が収納されている。なお、グリップ部１００ａと、キー本体部１００ｂとは分離可能である。また、端子部１００ｃはグリップ部１００ａ内の回路部と、キー本体部１００ｂ内部の導線を介してつながっている接続端子であり、電動バイクのキー差込口内にある同様の端子と接続される。
【００２１】
制御部１０１はキー１００の制御機能であり、詳細は後述する。インタフェース部１０２はキー１００と、再生装置２００との間のデータの入出力を行う。記憶部１０３はキー１００の不揮発性の記憶領域であり、楽音データを格納する。音源部１０４は周知のＦＭ（Ｆｒｅｑｕｅｎｃｙ  Ｍｏｄｕｌａｔｉｏｎ  ｓｏｕｎｄ）方式やＷＴ（Ｗａｖｅ  Ｔａｂｌｅ）方式の音源であり、楽音データを入力し、楽音データに従って楽曲を発音するための制御情報である制御信号を生成し、インタフェース部１０２を経由して再生装置２００へ出力する。無線通信部１０５はＢｌｕｅｔｏｏｔｈ（登録商標）などによる近距離無線通信ユニットであり、外部から楽音データを受信して制御部１０１を介して記憶部１０３に記憶させる。固定記憶部１０６は制御部１０１のプログラムが記憶されたＲＯＭ（Ｒｅａｄ  Ｏｎｌｙ  Ｍｅｍｏｒｙ）である。
【００２２】
再生装置２００の操作部２０１はユーザの操作を受け、ユーザ操作に対応する指示を制御部１０１へ出力する。インタフェース部２０２はキー１００のインタフェース部１０２と、前述の端子部１００ｃとキー差込口内にある同様の端子を介して接続され、キー１００と再生装置２００との間のデータの入出力を行う。表示部２０６はインタフェース部２０２を経由してキー１００からデータを入力して表示する。変換部２０３はキー１００からインタフェース部２０２を介して入力した制御信号をアナログの音信号に変換し、アンプ部２０４へ出力する。アンプ部２０４は音信号を入力して増幅し、スピーカー部２０５へ出力して発音させる。
図４において、パソコン３００（情報端末機器）は、ユーザがキー１００に格納されている楽音データを入れ替えるために使用する、Ｂｌｕｅｔｏｏｔｈ等による無線通信機能を備えたパソコンである。
【００２３】
次に、図１と、図３とを参照して本実施形態における動作について説明する。本実施の形態においては、ユーザが電動バイクを走行させる際の楽音データ再生処理と、ユーザが好みの楽音データを選ぶ際の楽音データ入れ替え処理とについて説明する。
＜楽音データ再生処理＞
ユーザは、いま例えば電動バイクの速度が法定速度の上限を越えていることに気がつかないまま、電動バイクを運転している。電動バイクの図示しない速度検出部は、電動バイクが法定速度の上限を超えていることを検知し、速度超過を通知する信号をキー１００のインタフェース部１０２を経由して、制御部１０１へ出力する。
【００２４】
キー１００の制御部１０１はインタフェース部１０２を経由して電動バイクの速度検知部から速度超過を通知する信号を入力し、ユーザにスピードを出しすぎていることを伝えるために記憶部１０３から速度超過に対応する楽音データを読み出し、音源部１０４へ出力する。音源部１０４は楽音データを制御部１０１から入力し、この楽音データに従って楽曲を発音するための制御情報である制御信号を生成し、この制御信号を再生装置２００へインタフェース部１０２を経由して出力する。
【００２５】
再生装置２００の変換部２０３はインタフェース部２０２を経由してキー１００の音源部１０４から制御信号を入力し、この制御信号をアナログの音信号に変換し、この音信号をアンプ部２０４へ出力する。アンプ部２０４は変換部２０３から音信号を入力し、これを増幅してスピーカー部２０５へ出力して楽曲を発音する。
ユーザはスピーカー部２０５が発音する楽曲を聞き、スピードの出し過ぎを認識する。
【００２６】
＜楽音データ入れ替え処理＞
ユーザは、いま例えば電動バイクのスピード超過の際の効果音を変えたいと思い、図４のようにキー１００と、パソコン３００とが無線通信できるようにキー１００をパソコン３００の近くに配置する。そして、ユーザはパソコン３００において新しい楽音データを指定してキー１００のスピード超過の際の楽音データの入れ替えを指示する。
【００２７】
パソコン３００はユーザの指示を受け、記憶領域から新しい楽音データを読み出して、キー１００に送信し、スピード超過の際の楽音データの入れ替えを指示する。
キー１００の制御部１０１は無線通信部１０５を経由してパソコン３００からデータを受信し、記憶部１０３に格納されているスピード超過の際の楽音データを消去し、受信した新しい楽音データを記憶部１０３に書き込む。次に、制御部１０１は無線通信部１０５を経由してパソコン３００に“入れ替えＯＫ”を送信する。
パソコン３００はキー１００からデータを受信し、表示部に入れ替え完了を表示する。ユーザはパソコン３００の表示部を確認し、楽音データが入れ替わったことを確認する。
【００２８】
以上、図面を参照して本発明の実施形態について詳述してきたが、具体的な構成はこの実施の形態に限られるものではなく、この発明の要旨を逸脱しない範囲の設計変更等も含まれる。例えば、本実施の形態ではユーザはキー１００中の楽音データの入れ替えをパソコン３００を使用して行ったが、キー１００のグリップ部１００ａを交換することで行ってもよい。電動バイクを起動するにはキー本体部１００ｂは必須であるが、グリップ部１００ａであれば交換しても支障はない。しかも、ユーザがパソコンの操作が苦手な場合であっても、ユーザは新たに他のグリップ部１００ａを入手することで手軽にキー１００の楽音データを入れ替えることができ、有効である。
【００２９】
また、図６のようにグリップ部１００ａ内の回路部をキーホルダー１２０内に収納しても良い。キーホルダー１２０はキー１００に接続された状態となり、キー１００を経由して再生装置２００へ楽音データの出力を行う。このように、グリップ部１００ａの機能をキーホルダー１２０として独立させると、ユーザは楽音データの入れ替えのためにはキーホルダーの付け替えですむため、キー１００自体はグリップ部１００ａと、キー本体部１００ｂとに分かれる必要はない。また、ユーザが楽音データを入れ替える場合にはキーホルダー１２０を付け替える操作を行うが、この操作はグリップ部１００ａと、キー本体部１００ｂとを分離させ、付け替える操作よりも自然であり、分かり易い。
また、いずれの方法においても、別の種類の音源部を持つグリップ部またはキーホルダーに変更することが可能である。こうすることで、新しい機能を持った音源にバージョンアップすることが出来る。
【００３０】
また、キー１００と、パソコン３００とは無線通信部１０５を経由せずにインタフェース部１０２を経由してデータを送受信しても良い。このとき、図７のようにパソコン３００と、キー１００とは、端子部１００ｃと接続される端子を持つリーダ／ライタ機能３１０を経由してデータの送受信を行う。
また、無線通信部１０５はＵＳＢ（Ｕｎｉｖｅｒｓａｌ  Ｓｅｒｉａｌ  Ｂｕｓ）に代表されるインタフェースであっても良い。多くのパソコンではＵＳＢインタフェースを備えているため、パソコン３００は無線通信機能や、リーダ／ライタ部３１０を備えない場合であっても、ユーザはキー１００の楽音データの入れ替えができるようになり、有効である。
【００３１】
また、キー１００を図８のように携帯電話４００に接続しても良い。携帯電話４００と、キー１００との間は無線通信部１０５の代わりにリーダ／ライタ部３１０に相当するものを携帯電話４００に取り付けても良い。あるいは、無線通信部１０５をＢｌｕｅｔｏｏｔｈなどの標準規格に準拠した無線機能とし、無線通信部１０５を介してデータの送受信を行っても良い。携帯電話から楽音データをダウンロードしてキー１００に送信し、格納させることもできる。さらに、キー１００に格納されている楽音データを携帯電話で発音させることも可能である。携帯電話以外の、例えばＰＤＡ（Ｐｅｒｓｏｎａｌ  Ｄｉｇｉｔａｌ  Ａｓｓｉｓｔａｎｔｓ）などの装置をキー１００のデータ入力元としても良い。
【００３２】
また、楽音データの代わりに画像データを記憶部１０３が格納し、音源部１０４を画像データもあわせて処理可能なコンテンツ処理手段に置き換えても良い。例えば、ユーザが操作部２０１に走行可能距離の表示を指示する場合に、制御部１０１は操作部２０１からインタフェース部１０２を経由してこの指示を受け、制御部１０１は記憶部１０３から画像データを読み出してこれをコンテンツ処理手段に出力する。コンテンツ処理手段は画像データを入力して解凍処理などを行い、表示部２０６が表示可能な形式のデータを得て、インタフェース部１０２を経由して表示部２０６へ出力し、表示させても良い。電動バイクは音に加えて画像も表示するため、視覚的な楽しみも合わせてユーザに提供することが可能となる。
【００３３】
また、キー１００は図９に表される構成であっても良い。ただし、図９の構成中には、明示されていないものであっても図１の構成要素もすべて含まれている。図９において、キー１００の各部はバッテリ部１０７から電源を得る。アンプ部１０８は楽音信号を入力して増幅し、ヘッドフォンの接続プラグがヘッドフォン端子部１０９にセットされている場合にはヘッドフォン端子部１０９へ、ヘッドフォンの接続プラグがヘッドフォン端子部１０９にセットされてない場合にはスピーカー部１１０へ出力して発音させる。また、グリップ部１００ａは、ユーザからの楽音再生指示を受けるための図示しないスイッチを備える。ユーザがグリップ部１００ａのスイッチを入れると、制御部１０１はユーザからの指示を受けて記憶部１０３中の楽音データをすべて読み出し、順次音源部１０４へ出力する。音源部１０４は制御部１０１から楽音データを入力し、アナログの楽音信号を生成してアンプ部１０８を介してスピーカー部１１０、もしくはヘッドフォン端子部１０９に接続されたヘッドフォンから発音する。これにより、ユーザはキー１００を電動バイクに差し込まなくても、楽音を確認できる効果がある。
【図面の簡単な説明】
【００３４】
【図１】本発明の一実施形態によるコンテンツデータ内蔵イグニッションキーの構成を示すブロック図である。
【図２】従来の電動バイクにおける楽音データの格納場所を表す図である。
【図３】本発明の一実施形態によるコンテンツデータ再生装置の構成を示すブロック図である。
【図４】本発明の一実施形態によるコンテンツデータ内蔵イグニッションキーの楽音データの入れ替え処理を表す図である。
【図５】本発明の一実施形態によるコンテンツデータ内蔵イグニッションキーの使用例を示す図である。
【図６】本発明の一実施形態によるコンテンツデータ内蔵イグニッションキーと、キーホルダーとを示す図である。
【図７】本発明の一実施形態によるコンテンツデータ内蔵イグニッションキーの楽音データの入れ替え処理を表す図である。
【図８】本発明の一実施形態によるコンテンツデータ内蔵イグニッションキーの楽音データの入れ替え処理を表す図である。
【図９】本発明の一実施形態によるコンテンツデータ内蔵イグニッションキーの構成図である。
【符号の説明】
【００３５】
１００…キー、１００ａ…グリップ部、１００ｂ…キー本体部、１００ｃ…端子部、１０１…制御部、１０２…インタフェース部（インタフェース手段）、１０３…記憶部（記憶手段）、１０４…音源部（コンテンツ再生手段）、１０５…無線通信部（無線通信手段）、１０６…固定記憶部、１０７…バッテリ、１０８…アンプ部（再生手段）、１０９…ヘッドフォン端子部（再生手段）、１１０…スピーカー部（再生手段）、１２０…キーホルダー、２００…再生装置、２０１…操作部、２０２…インタフェース部、２０３…変換部（コンテンツ再生手段）、２０４…アンプ部（コンテンツ再生手段）、２０５…スピーカー部（コンテンツ再生手段）、２０６…表示部（コンテンツ再生手段）、３００…パソコン、３１０…リーダ／ライタ機能、携帯電話…４００
【図１】
2005263152.tif 000003
【図２】
2005263152.tif 000004
【図３】
2005263152.tif 000005
【図４】
2005263152.tif 000006
【図５】
2005263152.tif 000007
【図６】
2005263152.tif 000008
【図７】
2005263152.tif 000009
【図８】
2005263152.tif 000010
【図９】
2005263152.tif 000011